(57)【特許請求の範囲】
【請求項１】
容器本体と、前記容器本体に設けられ内容物を収容可能な収容部と、を備えた容器において、
前記収容部内には、前記内容物と共に、撹拌子及び軸線方向に伸縮可能なバネが収容されており、前記収容部の先端側の端部から前記内容物が流出し、
前記バネは、径違いの複数のバネ部を軸線方向に一体的に連ねたバネであり、
前記撹拌子の径よりも小径の小径バネ部を備えると共に、この小径バネ部の軸線方向隣であってその先端部に、前記撹拌子の径より大径の大径バネ部を連ねて備え、
前記撹拌子は、前記大径バネ部内を軸線方向に移動可能とされていることを特徴とする容器。
【請求項２】
前記バネは、前記収容部内を軸線方向に移動可能とされていることを特徴とする請求項１記載の容器。
【請求項３】
前記バネは、前記収容部内の軸線方向全長に亘って延在していることを特徴とする請求項１記載の容器。
【請求項４】
前記バネは、前記先端部に最大径のバネ部が位置していることを特徴とする請求項１〜３の何れか一項に記載の容器。
【請求項５】
前記バネは、コイルバネ又は樹脂バネであることを特徴とする請求項１〜４の何れか一項に記載の容器。
【請求項６】
前記容器本体は、前記収容部内から前記先端側に流出する前記内容物を塗布するための塗布体を有することを特徴とする請求項１〜５の何れか一項に記載の容器。
【発明の詳細な説明】
【技術分野】
【０００１】
本発明は、内部に収容した内容物を撹拌できる容器に関する。
【背景技術】
【０００２】
この種の容器としては、以下の特許文献１に記載の容器が知られている。この特許文献１に記載の容器は、容器本体内の収容部にインキと共に運動体を収容し、この運動体が運動することでインキを撹拌するというものである。運動体は、収容部内の後部に配置され軸線方向に延在するコイルバネと、このコイルバネより前側に配置された例えば球体等の撹拌子とから成る。そして、使用者が容器を振ると、撹拌子が軸線方向に運動し、さらに、撹拌子がコイルバネの先端に衝突することによりコイルバネが伸縮し、これらの撹拌子及びコイルバネの運動により、沈降物等の固体成分を効率良く撹拌できるとされている。
【先行技術文献】
【特許文献】
【０００３】
【特許文献１】特開２０００−３１８３６９号公報
【発明の概要】
【発明が解決しようとする課題】
【０００４】
しかしながら、上記容器にあっては、内容物の撹拌が十分ではなく、効率良く撹拌することが求められている。
【０００５】
そこで、本発明は、内容物を効率良く撹拌できる容器を提供することを目的とする。
【課題を解決するための手段】
【０００６】
本発明による容器は、容器本体と、容器本体に設けられ内容物を収容可能な収容部と、を備えた容器において、収容部内には、内容物と共に、撹拌子及び軸線方向に伸縮可能なバネが収容されており、収容部の先端側の端部から内容物が流出し、バネは、径違いの複数のバネ部を軸線方向に一体的に連ねたバネであり、撹拌子の径よりも小径の小径バネ部を備えると共に、この小径バネ部の軸線方向隣であってその先端部に、撹拌子の径より大径の大径バネ部を連ねて備え、撹拌子は、大径バネ部内を軸線方向に移動可能とされていることを特徴としている。
【０００７】
このような容器によれば、使用者が容器を振ると、撹拌子は、バネを構成する大径バネ部内を軸線方向に移動可能とされているため、撹拌子が軸線方向に移動し、この撹拌子の移動により内容物が撹拌され、さらに、撹拌子が、バネを構成し大径バネ部の軸線方向隣に位置し撹拌子より小径の小径バネ部に衝突することにより小径バネ部が軸線方向に伸縮し、この小径バネ部の伸縮により内容物が一層撹拌され、さらに、上記大径バネ部が、小径バネ部の伸縮による弾性力を受けて軸線方向に伸縮し、この大径バネ部の伸縮により内容物が一層撹拌される。このように、撹拌子の移動及び小径バネ部の伸縮に加えて、大径バネ部の伸縮が加わるため、内容物を効率良く撹拌できる。
【０００８】
ここで、バネは、収容部内を軸線方向に移動可能とされていると、撹拌子の移動、及び、小径バネ部、大径バネ部の伸縮に加えて、軸線方向に移動するバネにより、内容物を一層効率良く撹拌できる。
【０００９】
また、バネは、収容部内の全長に亘って延在していると、撹拌子の移動に加えて、収容部内の全長に亘ってバネが伸縮するため、全長に亘るバネの伸縮により、内容物を一層効率良く撹拌できる。
【００１０】
また、バネは、先端部に最大径のバネ部が位置していると、先端部の最大径のバネ部は、撹拌子では届かない収容部端部の周縁のデッドスペースを、その移動且つ／又はその伸縮により撹拌できるため、内容物を一層効率良く撹拌できる。
【００１１】
また、上記作用を好適に奏するバネとしては、具体的には、コイルバネ又は樹脂バネが挙げられる。
【００１２】
また、容器本体は、収容部内から先端側に流出する内容物を塗布するための塗布体を有していると、撹拌された内容物を塗布体により好適に塗布することができる。
【発明の効果】
【００１３】
このように本発明によれば、内容物を効率良く撹拌できる容器を提供できる。
【図面の簡単な説明】
【００１４】
【図１】本発明の第１実施形態に係る容器を示す断面図でありコイルバネを切断しない図である。
【図２】本発明の第１実施形態に係る容器を示す全断面図である。
【図３】図１及び図２中のコイルバネを示す斜視図である。
【図４】本発明の第２実施形態に係る容器を示す断面図でありコイルバネを切断しない図である。
【図５】本発明の第２実施形態に係る容器を示す全断面図である。
【図６】図４及び図５中のコイルバネを示す斜視図である。
【図７】本発明の第３実施形態に係る容器を示す断面図でありコイルバネを切断しない図である。
【図８】本発明の第３実施形態に係る容器を示す全断面図である。
【発明を実施するための形態】
【００１５】
以下、本発明による容器の好適な実施形態について図１〜図８を参照しながら説明する。図１〜図３は、本発明の第１実施形態を、図４〜図６は、本発明の第２実施形態を、図７及び図８は、本発明の第３実施形態を各々示すものであり、各図において、同一の要素には同一の符号を付し、重複する説明は省略する。
【００１６】
先ず、図１〜図３に示す第１実施形態を説明する。
【００１７】
図１は、本発明の第１実施形態に係る容器を示す断面図でありコイルバネを切断しない図、図２は、容器の全断面図、図３は、図１及び図２中のコイルバネの斜視図であり、本実施形態の容器１００は、内容物Ｌを収容し使用者が必要に応じて適宜塗布体３により塗布するものである。
【００１８】
内容物Ｌは、ここでは、アイライナーやリップライナー等の液状化粧料とされ、塗布体３は、ここでは、毛筆とされ、これらを備える容器１００は、液状化粧料容器とされている。
【００１９】
図１及び図２に示すように、液状化粧料容器１００は、全体形状が筆記具の如き細長い丸棒状を呈するものであり、円筒状の容器本体１と、容器本体１内に設けられ液状化粧料Ｌを収容する収容部２と、容器本体１の先端に装着され収容部２内の液状化粧料Ｌを塗布するための毛筆３と、容器本体１内に配置され収容部２内と毛筆３を結ぶ軸状の中継芯４と、中継芯４周りに装着された略円筒状のジャバラ部材５と、を概略備える。なお、ここでは、使用者が容器本体１を持って塗布しやすいように、容器本体１に対して、有底円筒状の把持筒６が螺合により着脱可能に装着されている。なお、容器本体１は円筒状に限定されるものではなく、矩形筒等であっても良い。
【００２０】
容器本体１は、例えばＰＰ等から形成され、鍔付きで先細の円筒状に構成される。容器本体１の外周面に設けられた鍔部１ａの後端面には、容器本体１に螺子込まれた把持筒６の先端面が突き当てられ、鍔部１ａの先端面には、容器本体１に装着されたキャップ１０（詳しくは後述）の開放端面が突き当てられる。また、容器本体１の後端の開口は、有底円筒状の尾栓７を差し込み装着することにより、閉じられている。
【００２１】
ジャバラ部材５は、液状化粧料Ｌの流量をコントロールするためのもので、液状化粧料Ｌを含む溝（ジャバラ）を有し、その円筒状の後端部５ａが、容器本体１の内周面の凹部１ｂに嵌合することにより、容器本体１に装着されている。そして、容器本体１内のジャバラ部材５の後端部５ａと尾栓７との間に上記収容部２が形成されており、この収容部２内に液状化粧料Ｌが収容されている。
【００２２】
中継芯４は、例えばアクリル樹脂等から形成され、ジャバラ部材５の筒孔を通過するように軸線方向に延在し、その先端側がジャバラ部材５の先端側と嵌合することでジャバラ部材５に装着されている。中継芯４は、その後端側の部分が収容部２内に進入すると共に、その先端側の部分が毛筆３に進入することで、収容部２内と毛筆３とを結んでいる。そして、中継芯４は、毛細管現象により収容部２内の液状化粧料Ｌを吸い上げ毛筆３へ供給するのを可能とする。
【００２３】
毛筆３は、その後端部が、中央に貫通孔を有する円板状の毛筆保持部３ａに固着され、この毛筆保持部３ａは、ジャバラ部材５の先端面と毛筆ホルダ８の後端面との間に挟まれるようにして軸線方向に移動不能とされている（詳しくは後述）。
【００２４】
毛筆３を保持するための毛筆ホルダ８は、略円筒状で先端が先細とされた形状を呈し、その筒孔を毛筆３が通過している。この毛筆ホルダ８は、その先端部を除く部分が、容器本体１の先端部内に進入し、その後端部の鍔部８ａが、容器本体１の先端部の内側に張り出す張り出し部１ｃの後側に位置し対面している。そして、毛筆ホルダ８は、ジャバラ部材５が容器本体１に対して装着されることにより、毛筆保持部３ａを介してその鍔部８ａが軸線方向先端側に押圧され、容器本体１の張り出し部１ｃに当接することにより、軸線方向に移動不能に装着される。従って、毛筆保持部３ａは、ジャバラ部材５の先端面と毛筆ホルダ８の後端面との間に挟持され軸線方向に移動不能とされる。この毛筆ホルダ８は、その先細の先端部によって毛筆３を押えるようにして束ねることにより、毛筆３の先端を尖鋭な形状に整える。
【００２５】
容器本体１の先端側には、毛筆３等を保護するための有底円筒状のキャップ１０が嵌合により着脱自在に装着されている。キャップ１０内には、さらに内キャップ１０ａが設けられる。内キャップ１０ａは、コイルバネ９により容器本体１側に付勢され、キャップ１０の後端面が容器本体１の鍔部１ａの先端面に突き当てられ、キャップ１０が容器本体１に装着されると、内キャップ１０ａが容器本体１の先端側の先細の外周面に密着して気密を確保し揮発を抑制する。
【００２６】
ここで、本実施形態の液状化粧料容器１００にあっては、収容部２内に、液状化粧料Ｌと共に、軸線方向に移動可能な撹拌子２０及び軸線方向に伸縮可能なコイルバネ２１が収容されている。撹拌子２０は、ここでは、特に好ましいとして、球体とされているが、多面体や錐体等であっても良い。
【００２７】
コイルバネ２１は、図３に示すように、径違いの複数のバネ部（ここでは径違いの２個のバネ部）２１ａ，２１ｂを軸線方向に一体的に連ねた一体成形のバネであり、ここでは、例えばＳＵＳ等より成形されている。このコイルバネ２１は、撹拌子２０の径よりも小径の小径バネ部２１ａを後半部に備えると共に、小径バネ部２１ａの前方の軸線方向隣に、撹拌子２０の径より大径の大径バネ部２１ｂを連ねて備える。
【００２８】
コイルバネ２１は、図１及び図２に示すように、その軸線方向長が、収容部２内の軸線方向全長の約半分とされ、軸線方向に移動可能とされている。このコイルバネ２１は、その小径バネ部２１ａが、有底円筒状の尾栓７の筒孔に進入可能とされ、その大径バネ部２１ｂが、容器本体１の収容部２の内周面に接近する径に構成されている。
【００２９】
このように構成された液状化粧料容器１００にあっては、収容部２内の液状化粧料Ｌは、中継芯４を介して先端側の毛筆３に向かって流出し、使用者により毛筆３による塗布に供される。
【００３０】
ここで、使用者が容器１００を振ると、撹拌子２０は、コイルバネ２１を構成する大径バネ部２１ｂ内を軸線方向に移動可能とされているため、撹拌子２０が軸線方向に移動し、この撹拌子２０の移動により液状化粧料Ｌが撹拌される。そして、さらに、撹拌子２０が、コイルバネ２１を構成し大径バネ部２１ｂの軸線方向隣に位置し撹拌子２０より小径の小径バネ部２１ａに衝突することにより小径バネ部２１ａが軸線方向に伸縮し、この小径バネ部２１ａの伸縮により液状化粧料Ｌが一層撹拌される。そして、さらに、上記大径バネ部２１ｂが、小径バネ部２１ａの伸縮による弾性力を受けて軸線方向に伸縮し、この大径バネ部２１ｂの伸縮により液状化粧料Ｌが一層撹拌される。
【００３１】
このように、本実施形態では、撹拌子２０の移動及び小径バネ部２１ａの伸縮に加えて、大径バネ部２１ｂの伸縮が加わるため、液状化粧料Ｌを効率良く撹拌できる。
【００３２】
また、コイルバネ２１は、収容部２内を軸線方向に移動可能とされているため、使用者が容器１００を振ると、コイルバネ２１は軸線方向に移動（往復移動）することになり、撹拌子２０の移動、及び、小径バネ部２１ａ、大径バネ部２１ｂの伸縮に加えて、軸線方向に移動するコイルバネ２１により、液状化粧料Ｌを一層効率良く撹拌できる。
【００３３】
また、コイルバネ２１は、先端部に大径バネ部（最大径のバネ部）２１ｂが位置しているため、この大径バネ部２１ｂにより、撹拌子２０では届かない収容部２の先端部の周縁のデッドスペースを、その移動且つ／又はその伸縮により撹拌でき、液状化粧料Ｌを一層効率良く撹拌できる。
【００３４】
なお、コイルバネ２１にあっては、バネ定数、巻線径、巻線ピッチ、巻線の粗密は、上記作用を好適に奏するように適宜選択できる。
【００３５】
因みに、第１実施形態では、有底円筒状の尾栓７により容器本体１の後端の開口を閉じ、容器本体１の収容部２の内周面が、前側と後側で均一径ではない場合に最適なコイルバネ２１（前側の大径バネ部２１ｂが収容部２の内周面に接近し、後側の小径バネ部２１ａが尾栓７の筒孔に進入可能なコイルバネ２１）を用いた例を示したが、以下の第２、第３実施形態の液状化粧料容器２００，３００では、容器本体１は、前側容器本体１ｘと後側容器本体１ｙとが軸線方向に移動不能且つ周方向に回転不能に嵌合して一体となった有底円筒状とされ、尾栓７がないものとされている。なお、第２、第３実施形態の液状化粧料容器２００，３００にあっては、把持筒６は省略され描かれていない。
【００３６】
図４は、本発明の第２実施形態に係る容器を示す断面図でありコイルバネを切断しない図、図５は、容器の全断面図、図６は、図４及び図５中のコイルバネの斜視図である。
【００３７】
図４及び図５に示すように、第２実施形態の液状化粧料容器２００が、第１実施形態の液状化粧料容器１００と違う点は、２個のバネ部を連ねたコイルバネ２１に代えて、３個のバネ部を連ねたコイルバネ２２を用いた点である。
【００３８】
コイルバネ２２は、図６に示すように、撹拌子２０の径よりも小径の小径バネ部２２ａを軸線方向中間に備えると共に、小径バネ部２２ａの前方及び後方の軸線方向隣に、撹拌子２０の径より大径の大径バネ部２２ｂ，２２ｃを連ねて備える。
【００３９】
コイルバネ２２は、図４及び図５に示すように、その大径バネ部２２ｂ，２２ｃが、容器本体１の収容部２の内周面に接近する径に構成される。また、コイルバネ２２は、その軸線方向長が、収容部２内の軸線方向全長の約半分より多少長くされ、第１実施形態と同様に、軸線方向に移動可能とされている。
【００４０】
このように構成された液状化粧料容器２００にあって、使用者が容器２００を振ると、撹拌子２０は、コイルバネ２２を構成する大径バネ部２２ｂ内を軸線方向に移動可能とされているため、撹拌子２０が軸線方向に移動し、この撹拌子２０の移動により液状化粧料Ｌが撹拌され、さらに、撹拌子２０が、コイルバネ２２を構成し大径バネ部２２ｂの軸線方向隣に位置し撹拌子２０より小径の小径バネ部２２ａに衝突することにより小径バネ部２２ａ及び後側の大径バネ部２２ｃが軸線方向に伸縮し、この小径バネ部２２ａ及び後側の大径バネ部２２ｃの伸縮により液状化粧料Ｌが一層撹拌され、さらに、上記前側の大径バネ部２２ｂが、小径バネ部２２ａ及び後側の大径バネ部２２ｃの伸縮による弾性力を受けて軸線方向に伸縮し、この前側の大径バネ部２２ｂの伸縮により液状化粧料Ｌが一層撹拌される。
【００４１】
このように、第２実施形態でも、撹拌子２０の移動及び小径バネ部２２ａ及び後側の大径バネ部２２ｃの伸縮に加えて、前側の大径バネ部２２ｂの伸縮が加わるため、液状化粧料Ｌを効率良く撹拌できる。
【００４２】
また、この第２実施形態においても、コイルバネ２２は、収容部２内を軸線方向に移動可能とされているため、使用者が容器１００を振ると、コイルバネ２２は軸線方向に移動（往復移動）することになり、撹拌子２０の移動、及び、小径バネ部２２ａ、大径バネ部２２ｂ，２２ｃの伸縮に加えて、軸線方向に移動するコイルバネ２２により、液状化粧料Ｌを一層効率良く撹拌できる。
【００４３】
また、コイルバネ２２は、先端部及び後端部に大径バネ部（最大径のバネ部）２２ｂ，２２ｃがそれぞれ位置しているため、この大径バネ部２２ｂ，２２ｃにより、撹拌子２０では届かない収容部２の端部の周縁のデッドスペースを、その移動且つ／又はその伸縮により撹拌でき、液状化粧料Ｌを一層効率良く撹拌できる。
【００４４】
なお、大径バネ部２２ｂ，２２ｃは例えば同径でなくても良く、要は、コイルバネは、撹拌子２０の径よりも小径の小径バネ部を備えると共に、この小径バネ部の軸線方向隣に、撹拌子２０の径より大径の大径バネ部を連ね、撹拌子２０が、大径バネ部内を軸線方向に移動可能とされていれば良い。従って、撹拌子２０は、後側の大径バネ部２２ｃ内に、軸線方向に移動可能に配置されていても良い。
【００４５】
図７は、本発明の第３実施形態に係る容器を示す断面図でありコイルバネを切断しない図、図８は、本発明の第３実施形態に係る容器を示す全断面図である。
【００４６】
この第３実施形態の液状化粧料容器３００が、第２実施形態の液状化粧料容器２００と違う点は、その軸線方向長が収容部２内の軸線方向全長に達しないコイルバネ２２に代えて、その軸線方向長が収容部２内の軸線方向全長に亘るコイルバネ２３を用いた点である。
【００４７】
このように構成された液状化粧料容器３００にあっても、第２実施形態の液状化粧料容器２００と同様に、撹拌子２０の移動及び小径バネ部２３ａ及び後側の大径バネ部２３ｃの伸縮に加えて、前側の大径バネ部２３ｂの伸縮が加わるため、液状化粧料Ｌを効率良く撹拌できる効果が得られると共に、コイルバネ２３は、先端部及び後端部に大径バネ部（最大径のバネ部）２３ｂ，２３ｃがそれぞれ位置しているため、この大径バネ部２３ｂ，２３ｃにより、撹拌子２０では届かない収容部２の端部の周縁のデッドスペースを、その伸縮により撹拌でき、液状化粧料Ｌを一層効率良く撹拌できる効果が得られるのに加えて、コイルバネ２３は、収容部２内の全長に亘って延在しているため、収容部２内の全長に亘ってコイルバネ２３が伸縮し、この全長に亘るコイルバネ２３の伸縮により、液状化粧料Ｌを一層効率良く撹拌できる。
【００４８】
以上、本発明をその実施形態に基づき具体的に説明したが、本発明は上記実施形態に限定されるものではなく、例えば、上記実施形態においては、径違いの複数のバネ部として２個又は３個のバネ部を連ねているが、４個以上のバネ部を連ねても良く、要は、コイルバネは、撹拌子２０の径よりも小径の小径バネ部を備えると共に、この小径バネ部の軸線方向隣に、撹拌子２０の径より大径の大径バネ部を連ね、撹拌子２０が、大径バネ部内を軸線方向に移動可能とされていれば良い。
【００４９】
また、上記実施形態においては、特に好ましいとして、コイルバネ２１〜２３を用いているが、周面に略螺旋状のスリットを有し軸線方向に伸縮可能な所謂樹脂バネを用いることも可能であり、この場合も、径違いの複数のバネ部を軸線方向に一体的に連ね、撹拌子２０の径よりも小径の小径バネ部を備えると共に、この小径バネ部の軸線方向隣に、撹拌子２０の径より大径の大径バネ部を連ねて備えていれば良い。
【００５０】
また、上記実施形態においては、内容物Ｌを液状化粧料とし、塗布体３を毛筆としているが、これらに限定されるものではなく、内容物Ｌを、例えば、筆記用具等のインキ、液状の医薬品、泥状物、靴墨、粉体等とし、塗布体３を、例えば、スポンジ等の発泡体や、ブラシ機能を有する突起群等とすることもできる。
【符号の説明】
【００５１】
１…容器本体、２…収容部、３…毛筆（塗布体）、２０…撹拌子、２１，２２，２３…コイルバネ（バネ）、２１ａ，２２ａ，２３ａ…小径バネ部、２１ｂ，２２ｂ，２２ｃ，２３ｂ，２３ｃ…大径バネ部（最大径のバネ部）、１００，２００，３００…液状化粧料容器（容器）、Ｌ…液状化粧料（内容物）。
【図１】
0006467575.tif 000002
【図２】
0006467575.tif 000003
【図３】
0006467575.tif 000004
【図４】
0006467575.tif 000005
【図５】
0006467575.tif 000006
【図６】
0006467575.tif 000007
【図７】
0006467575.tif 000008
【図８】
0006467575.tif 000009